(57)【要約】      （修正有）【課題】ナット本体の方向調整が簡単で手間がかからない嵌入型ナットを提供する。【解決手段】ナット本体１１が柱状であり、ナット本体の腰部を貫通するネジ孔１２を有し、ナット本体の両端の少なくとも一端に溝１４ａ、ｂが設けられ、被連結部材のナット孔に嵌入して使用される嵌入型ナット１０であって、ナット本体が楕円柱体に形成されている。【選択図】図２
0003230966.tif 000002
【実用新案登録請求の範囲】
【請求項１】
ナット本体が柱状となり、ナット本体の腰部を貫通するネジ孔を有し、ナット本体の両端の少なくとも一端に溝が設けられ、被連結部材のナット孔に嵌入して使用される嵌入型ナットであって、
前記ナット本体が楕円柱体に形成されていることを特徴とする嵌入型ナット。
【請求項２】
前記ナット本体の横断面における楕円形の長軸径が前記ナット孔の直径より大きいとされていることを特徴とする請求項１に記載の嵌入型ナット。
【請求項３】
前記ネジ孔はその軸線が前記ナット本体の横断面における楕円形の短軸中心線と平行していることを特徴とする請求項１または２に記載の嵌入型ナット。
【請求項４】
前記溝は前記ナット本体の横断面における楕円形の短軸中心線と長軸中心線に沿って形成されている十字型溝である請求項１〜３のいずれかに記載の嵌入型ナット。
【考案の詳細な説明】
【技術分野】
【０００１】
本考案は、ナットに関わり、具体的には家具の構成部材を連結するために使用されている嵌入型ナットに関するものである。
【背景技術】
【０００２】
従来、家具の構成部材を連結させるために、その構成部材に設けられるナット孔に嵌入して使用される嵌入型ナットがよく知られている。このような嵌入型ナットはナット本体が柱状となり、ナット本体の腰部を貫通するネジ孔を有し、ナット本体の両端の少なくとも一端に溝が設けられ、連結部材のナット孔に嵌入して使用されるように構成されている。通常、円形に形成されているナット孔に嵌入されるナット本体が円柱体に形成されており、つまり、ナット本体の横断面が円柱形となっている。
【０００３】
上記のような嵌入型ナットでは、ナット本体はナット孔に嵌入される際、そのネジ孔に構成部材に挿入されるネジが螺合できるようナット孔に嵌入されるナット本体の方向を調整する必要がある。この場合、ナット孔でナット本体を回転しながら調整することとなっている。そのために、ナット本体の端部にはナット本体を回転させるドライバが入れる十字溝が設けられている。
【考案の開示】
【考案が解決しようとする課題】
【０００４】
しかし、従来のナット本体は円柱体に形成されているため、ナット孔に嵌入しても、位置固定されにくく、ぐるぐる回転してしまい、ネジ孔の向きが不安定であり、ナット本体の方向調整に手間がかかるといった問題点があった。そして、円柱体の横断面円の直径がナット孔の内径よりやや大きくし、ナット本体をナット孔内に押入することも考えられるが、ナット孔の寸法精度が厳しく要求され、少しズレがあれば、ナット本体はなかなかナット孔内に押入されないこととなる問題点もあった。また、ナット孔内に押入されたナット本体におけるネジ孔の向きが確認されにくいので、ネジ孔の軸中心線が十字溝の１つの溝の長手方向と平行するようにネジ孔または十字溝を設ければよいが、ナット孔内に押入されたナット本体におけるネジ孔の向きが十字溝のどれの溝と同じであるかについても判断しにくい場合もあった。
【０００５】
本実用新案は、従来の嵌入型ナットの上記問題点を解決し、ナット本体の方向調整が簡単で手間がかからない嵌入型ナットを提供することを目的としている。
【課題を解決するための手段】
【０００６】
本実用新案の実施形態の嵌入型ナットはナット本体が柱状となり、ナット本体の腰部を貫通するネジ孔を有し、ナット本体の両端の少なくとも一端に溝が設けられ、連結部材のナット孔に嵌入して使用される嵌入型ナットであって、前記ナット本体が楕円柱体に形成されている。
本実用新案の実施形態の嵌入型ナットによれば、ナット本体の方向調整が簡単で手間がかからなくなる。
【０００７】
好ましいのは、前記ナット本体の横断面における楕円形の長軸径が前記ナット孔の直径より大きいとされている。
これによれば、ナット孔に嵌入されるナット本体は位置固定されやすくなる。
【０００８】
より好ましいのは、前記ネジ孔はその軸線が前記ナット本体の横断面における楕円形の短軸中心線と平行している。
これによれば、ネジ孔は加工されやすくなり、ネジ孔の向きがわかりやすくなる。
【０００９】
さらに好ましいのは、前記溝は前記ナット本体の横断面における楕円形の短軸中心線と長軸中心線に沿って形成されている十字型溝である。
これによれば、ナット孔内に押入されたナット本体におけるネジ孔の向きが確認されやすくなる。
【図面の簡単な説明】
【００１０】
【図１】本実用新案の嵌入型ナットが被連結部材としての家具の構造部材に嵌入する際の説明図である。
【図２】本実用新案の嵌入型ナットの全体構造を示す斜視図である。
【図３】本実用新案の嵌入型ナットの全体構造を示す正面図である。
【図４】本実用新案の嵌入型ナットの全体構造を示す平面図である。
【考案を実施するための形態】
【００１１】
以下、図１〜図４に従って、本実用新案の嵌入型ナットの実施形態を詳しく説明する。
【００１２】
図１は本実用新案の嵌入型ナットが被連結部材としての家具の構造部材に嵌入する際の説明図である。図１に示すように、本実用新案の嵌入型ナット１０は、例えば、家具の構造部材２０，３０を連結させるために使われているものである。具体的には、嵌入型ナット１０は構造部材２０に設けられたナット孔２１に嵌入され、ボルト４０が構造部材３０に設けられた通孔３１を通して、構造部材２０に設けられ且つ前記ナット孔２１に連通されているボルト挿入孔２２に挿入してから嵌入型ナット１０と螺合することで、構造部材２０と構造部材３０は連結される。
【００１３】
本実施形態の嵌入型ナット１０は、図２〜図４に示されているように、ナット本体１１が楕円柱体に形成されており、ナット本体１１の腰部を貫通するネジ孔１２を有し、ナット本体１１の両端面（底面）の少なくとも一端面（本実施形態では上端面）１３に十字型の溝１４ａ，１４ｂが設けられ、被連結部材としての構造部材２０における前記ナット孔２１に嵌入して使用されるように構成されている。
【００１４】
また、前記溝１４ａは前記ナット本体１１の横断面における楕円形の長軸中心線に沿って形成され、前記溝１４ｂは前記ナット本体１１の横断面における楕円形の短軸中心線に沿って形成されている。
【００１５】
図２及び図３に示されているように、前記ネジ孔１２はその軸線が前記ナット本体１１の横断面における楕円形の短軸中心線と平行するようナット本体１１の腰部を貫通して設けられている。
【００１６】
さらに、本実施形態では、前記ナット本体１１はその横断面における楕円形の長軸径が前記ナット孔２１の直径よりやや大きくなるよう形成されている。
【００１７】
以下、本実施形態の嵌入型ナット１０の使用方法について説明する。
本実施形態の嵌入型ナット１０を前記構造部材２０における前記ナット孔２１に嵌入する際、前記ナット本体１１の下端面が先に前記ナット孔２１へ入るよう嵌入型ナット１０を前記ナット孔２１に押入する。そして、ドライバなどを前記十字型の溝１４ａ，１４ｂに挿入させて前記ネジ孔１２が前記ボルト挿入孔２２と対応する位置に来るよう前記ナット本体１１を旋回させる。通常、前記ナット孔２１と前記ボルト挿入孔２２はそれぞれの軸線が互いに垂直しおり、且つ前記ネジ孔１２はその軸線が前記ナット本体１１の横断面における楕円形の短軸中心線と平行するようナット本体１１の腰部を貫通して設けられており、前記溝１４ａは前記ナット本体１１の横断面における楕円形の長軸中心線に沿って形成され、前記溝１４ｂは前記ナット本体１１の横断面における楕円形の短軸中心線に沿って形成されているため、前記溝１４ｂの軸線が前記ボルト挿入孔２２の軸線とほぼ平行するよう前記ナット本体１１を旋回させれば、前記ネジ孔１２が前記ボルト挿入孔２２と対応する位置に来ていることとなる。
【００１８】
本実施形態の嵌入型ナット１０は、次の効果がある。
（１）前記ナット本体１１が楕円柱体に形成され、前記ナット本体１１の横断面における楕円形の長軸径が前記ナット孔２１の直径より大きいとされている。これによれば、ナット孔２１に嵌入されるナット本体１１は位置固定されやすくなる。つまり、嵌入型ナット１０はナット孔２１内において自由に動くことができないとともに、円柱体のナット本体を有する従来のものに比べ、ナット孔２１内における嵌入型ナット１０の位置調整が容易となる。
（２）前記溝１４ａ，１４ｂは前記ナット本体１１の横断面における楕円形の長軸中心線と短軸中心線に沿って形成されている十字型溝であり、且つ前記ネジ孔１２はその軸線が前記ナット本体１１の横断面における楕円形の短軸中心線と平行している。これによれば、ナット孔２１内に押入されたナット本体１１におけるネジ孔１２の向きが確認・調整されやすくなる。
【００１９】
本実施形態の嵌入型ナット１０は、次のように変更しても良い。
本実施形態では、ナット本体１１の両端面（底面）の少なくとも一端面（本実施形態では上端面）１３に十字型の溝１４ａ，１４ｂが設けられているが、ナット本体１１の両端面ともにそれぞれ十字型の溝１４ａ，１４ｂが設けられてもよい。また、ナット本体１１の両端面（底面）の少なくとも一端面に設けられている溝は十字型ではなく、一字型の溝が設けられてもよい。その場合、溝１４ａと溝１４ｂのどちら一方が設けられてもよい。上記のように変更しても本実施形態の嵌入型ナット１０とほぼ同じ効果を得ることができる。
【図１】
0003230966.tif 000003
【図２】
0003230966.tif 000004
【図３】
0003230966.tif 000005
【図４】
0003230966.tif 000006